(57)【要約】      （修正有）【課題】容易かつ迅速に製作することができる、一体成形された先端部が尖った形状を有するペーパーストローを提供する。【解決手段】一体成形された先端部が尖った形状を有するペーパーストローは、ペーパーカップ製作時に生じる紙材のカール部と、切断して発生した端材とが回収されて型紙に製作される。端材２２の端部が左右対称に切断されて２つの三角片が除去され、尖った形状の先端部を有する型紙が形成され、型紙の左右が内側に丸められて積層部が接着されてペーパーストローが製作される。ペーパーストローは、尖った形状の先端部が一体成形される。【選択図】図２
0003219199.tif 000002
【実用新案登録請求の範囲】
【請求項１】
紙材のカール部と、切断して発生した端材とが回収されて製作された型紙であり、
前記端材の端部が左右対称に切断されて２つの三角片が除去され、形成された前記型紙に尖端が形成され、前記型紙の左右が内側に丸められて積層部が接着されてなるペーパーストローであって、
前記ペーパーストローは、尖った形状の先端部が一体成形されてなることを特徴とする一体成形された先端部が尖った形状を有するペーパーストロー。
【請求項２】
紙材から直接、製作された型紙であり、
前記紙材の端部が左右対称に切断されて２つの三角片が除去され、形成された前記型紙に尖端が形成され、前記型紙の左右が内側に丸められて積層部が接着されてなるペーパーストローであって、
前記ペーパーストローには、尖った先端が一体成形されてなることを特徴とする一体成形された先端部が尖った形状を有するペーパーストロー。
【請求項３】
前記ペーパーストローの前記積層部は、高周波熱圧着により接着されてなることを特徴とする請求項１又は２に記載の一体成形された先端部が尖った形状を有するペーパーストロー。
【請求項４】
前記紙材及び前記紙材の前記カール部又は前記端材はラミネート紙であることを特徴とする請求項１又は２に記載の一体成形された先が尖ったペーパーストロー。
【考案の詳細な説明】
【技術分野】
【０００１】
本考案は、一体成形された先端部が尖った形状を有するペーパーストローに関するものであり、さらに詳しくは、型紙の一端を左右対称に切断して２つの三角片を成形し、型紙を左右に重ねて高周波熱圧着により形成されたペーパーストローであって、一体成形された先端部が尖った形状を有するペーパーストローに関するものである。
【背景技術】
【０００２】
従来のペーパーストローは、紙片を丸めて螺旋管構造に形成されたものである。かかる螺旋管構造の軸方向の両端は連通するように構成されている。螺旋管構造の紙片の縁部は互いに重なり、この重なった部分は接着されて一体化される。紙片は、ストーンペーパーがスパイラル巻きされているが、軟化することがあるため、これを防ぐために、プラスチックフィルムが使用されている状況にある。
【０００３】
ペーパーストローは、プラスチックストローの代替として用いることができたが、製作が面倒で高コストであった。また、ペーパーストローの多くは、その底端が円滑な円弧状に形成されていたため、一般にドリンクのプラスチックフィルムに突き刺すことはできなかった。
【０００４】
従来、ペーパーカップを製作する際に生じる紙材のカール部及び端材は、廃棄するか、又はリサイクルするしかできなかったため材料が無駄となるという問題が指摘されてきた。
本考案者は、紙材のカール部及び端材を利用することにより、先端部が尖った形状を有するペーパーストローを特別に開発した。この先端部が尖った形状を有するペーパーストローは、紙材のカール部及び端材を回収して製作され、予め切断して型紙を形成し、先端部が尖った形状を有するペーパーストローを容易に製作することができる。また、製作コストが安く、プラスチックも糊も必要無く、速やかに製作することができる。
【考案の概要】
【考案が解決しようとする課題】
【０００５】
従って、本考案の主な課題は、容易かつ迅速に製作することができる、一体成形された先端部が尖った形状を有するペーパーストローを提供することにある。
【課題を解決するための手段】
【０００６】
そこで、本考案者は、本考案の前記課題を解決するため鋭意検討を重ねた結果、紙材のカール部及び端材を利用することにより、先端部が尖った形状を有するペーパーストローを製作できる点に着目し、かかる知見に基いて本考案に想到するに至った。
すなわち、上記課題を解決するために、本考案の一実施形態によれば、紙材のカール部と、切断して発生した端材とが回収されて型紙に製作され、前記端材の端部が左右対称に切断されて２つの三角片に成形されて前記型紙が形成され、前記型紙に尖端が形成され、前記型紙の左右が内側に丸められて積層部が接着されてペーパーストローが製作され、前記ペーパーストローは、尖った形状の先端部が一体成形されることを特徴とする一体成形された先端部が尖った形状を有するペーパーストローが提供される。
【０００７】
上記課題を解決するために、本考案の第２の形態によれば、紙材が直接、型紙に製作され、前記紙材の端部が左右対称に切断されて２つの三角片が成形されて前記型紙が形成され、前記型紙に尖端が形成され、前記型紙の左右が内側に丸められて積層部が接着されてペーパーストローが製作され、前記ペーパーストローには、尖った先端部が一体成形されることを特徴とする一体成形された先が尖ったペーパーストローが提供される。
【０００８】
前記ペーパーストローの前記積層部は、高周波熱圧着により接着されることが好ましい。
【０００９】
前記紙材及び前記紙材の前記カール部又は前記端材はラミネート紙であることが好ましい。
かくして、本考案の要旨は、次の（１）〜（４）に記載の通りのものである。
（１）紙材のカール部と、切断して発生した端材とが回収されて製作された型紙であり、
前記端材の端部が左右対称に切断されて２つの三角片が除去され、形成された前記型紙に尖端が形成され、前記型紙の左右が内側に丸められて積層部が接着されてなるペーパーストローであって、
前記ペーパーストローは、尖った形状の先端部が一体成形されることを特徴とする一体成形された先端部が尖った形状を有するペーパーストロー。
（２）紙材から直接、製作された型紙であり、
前記紙材の端部が左右対称に切断されて２つの三角片が除去され、形成された前記型紙に尖端が形成され、前記型紙の左右が内側に丸められて積層部が接着されてなるペーパーストローであって、
前記ペーパーストローには、尖った形状の先端部が一体成形されることを特徴とする一体成形された先端部が尖った形状を有するペーパーストロー。
（３）前記ペーパーストローの前記積層部は、高周波熱圧着により接着されることを特徴とする前記（１）又は（２）に記載の一体成形された先が尖ったペーパーストロー。
（４）前記紙材及び前記紙材の前記カール部又は前記端材はラミネート紙であることを特徴とする前記（１）又は（２）に記載の一体成形された先端部が尖った形状を有するペーパーストロー。
【考案の効果】
【００１０】
本考案の一体成形された先端部が尖った形状を有するペーパーストローは、従来のペーパーストローを製作する際、手間と時間がかかる上、先端部が尖った形状に形成することができず、使用し難かった問題点を改善するために、ストローに尖った先端部を一回の操作により形成することができ、２次加工が必要で無いなど操作上簡便であり、また高周波熱圧着により成形させることから、ぺーパーストローにプラスチック又は糊が全く含まれていないため、環境汚染を防止することができる。
【図面の簡単な説明】
【００１１】
【図１】図１は、本考案の一実施形態に係るペーパーストローに使用される紙材の切断端材を示す説明図である。
【図２】図２は、本考案の一実施形態に係るペーパーストローに使用される端材を切断して三角片を成形する状態を示す説明図である。
【図３】図３は、本考案の一実施形態に係るペーパーストローに使用される型紙の左右を重ねた状態を示す説明図である。
【図４】図４は、本考案の一実施形態に係る一体成形された先端部が尖った形状を有するペーパーストローを示す斜視図である。
【図５】図５は、本考案の一実施形態に係る一体成形された先端部が尖った形状を有するペーパーストローの使用状態の説明図である。
【考案を実施するための形態】
【００１２】
まず、図１を参照する。図１は、本考案の一実施形態に係るペーパーストローに使用される紙材の切断端材を示す説明図である。図１に示すように、本考案の一実施形態に係るペーパーストローの紙材の切断端材は、紙材２を含む。紙材２は、容器型枠２１を切断するために用いる材料からなる。容器型枠２１がレイアウトされた後も端材２２が保留される。端材２２又は紙材２のカール部を回収してリサイクルペーパーを製造することができる。本実施形態では、容器型枠２１の部分が製作されない。即ち、端材２２又は紙材２のカール部分でペーパーストロー２０（図示せず）を製作することができるため、環境を汚染しない。端材２２は、ラミネート紙であることが好ましい。
【００１３】
図２を参照する。図２は、本考案の一実施形態に係るペーパーストローに使用される端材を三角片に切断する状態を示す説明図である。図２に示すように、本考案の一実施形態に係る一体成形された先端部が尖った形状を有するペーパーストローは、端材２２の端部を左右対称に切断して２つの三角片２２１に成形して型紙２２０を形成し（図３を参照）、型紙２２０に尖端２２０１を形成する。また、大量生産することができるように、端材２２を再収集せずに、一般の食品に使用可能な紙材２を２つの三角片２２１に切断して型紙２２０を形成し（図１を参照）、同様に型紙２２０に尖端２２０１を形成してもよい。
【００１４】
続いて、図３に併せて図４を参照する。型紙２２０の左右両側を内側に丸めて積層部２０１を重ねてから、積層部２０１を高周波熱圧着してペーパーストロー２０を製作する。ペーパーストロー２０は、一体成形されて尖った先端２０２が形成され、その製作材料にはリサイクルペーパーが用いられ、元々廃棄されていた紙材２のカール部又は容器型枠２１を回収して再利用することができる（図示せず）。そのため低コストで環境を汚染せず、高周波熱圧着によりペーパーストロー２０を製作し、ペーパーストロー２０全体がプラスチック材料又は糊材料を全く含まず、使用した後に、完全に回収することができる。
【００１５】
実際に使用する際、図５に示すように、ペーパーストロー２０は、尖った先端部２０２を有し、ペーパーストロー２０をコップ３のプラスチックフィルム３０に下向きに突き刺すと、尖った先端部２０２によりプラスチックフィルム３０が瞬時に破られ、コップ３内の飲み物を容易に飲むことができ、環境を汚染せず、無害かつ安全で回収可能なペーパーストロー２０をユーザに提供することができる。
【００１６】
上述したことから分かるように、本考案の一体成形された先端部が尖った形状を有するペーパーストローは、元々廃棄されていた紙材のカール部及びコーナー部のリサイクルペーパーの不要な部分を利用し、簡単に加工し、一体成形して先端部が尖った形状を有するペーパーストローに成形し、迅速かつ低コストにペーパーストローを製作することができるため、消費者のニーズを満たす上、ペーパーストロー全体にプラスチック材料又は糊が含まれていないため、使用後、完全に回収することができ、環境汚染を防止することができると共に経済性が高い。
【符号の説明】
【００１７】
２  紙材
３  コップ
２０  ペーパーストロー
２１  容器型枠
２２  端材
３０  プラスチックフィルム
２０１  積層部
２０２  尖った先端部
２２０  型紙
２２１  三角片
２２０１  尖端
【図１】
0003219199.tif 000003
【図２】
0003219199.tif 000004
【図３】
0003219199.tif 000005
【図４】
0003219199.tif 000006
【図５】
0003219199.tif 000007